(57)【要約】    【課題】  主に生物学的脱窒素処理法を利用しているにも拘らず、環境条件の違いによって廃水の性状が異なっても、常に一定以上の、脱窒素処理の処理能力を維持することができる上、既存の廃水処理システムを大型化することなしに処理能力を向上したり、逆に一定以上の処理能力を維持しながら廃水処理システムを小型化したりすることが可能な、新規な廃水処理システムを提供する。    【解決手段】  し尿などの有機性の廃水ＥＣを生物処理して窒素を除去するための生物処理設備２の前段、後段および生物処理設備２中のいずれかの位置に、廃水ＥＣを電解処理して塩素イオンから次亜塩素酸系の強酸化物質を生成させ、この強酸化物質の酸化作用によって廃水ＥＣ中の窒素分を除去する電解槽４を設けるとともに、この電解槽４の前段または後段に、廃水ＥＣを濃縮して塩素イオン濃度を高めた状態で電解槽４に供給する濃縮手段６を設けた廃水処理システムである。【選択図】  図１
2005144366.tif 000002
【特許請求の範囲】
【請求項１】
窒素分と塩素イオンとを含む有機性の廃水を生物処理して有機物や窒素を除去するための生物処理設備を備えた廃水処理システムであって、上記生物処理設備の前段、後段および生物処理設備中のいずれかの位置に、
(1)  廃水を電解処理して窒素分を除去するための電解槽を設けるとともに、
この電解槽の前段または後段に、
(2)  廃水を濃縮して塩素イオン濃度を高めた状態で電解槽またはその前段に供給するための濃縮手段を設けた
ことを特徴とする廃水処理システム。
【請求項２】
生物処理設備の後段に、処理後の廃水を固液分離するための固液分離設備を設け、かつ固液分離設備で固形分を除去した廃水を電解処理するべく、固液分離設備の後段に電解槽を設けるとともに、電解槽の後段に濃縮手段を設けて、濃縮手段で濃縮した廃水を電解槽またはその前段に返送する請求項１記載の廃水処理システム。
【請求項３】
電解槽を生物処理設備中に設け、かつ生物処理設備の後段に、処理後の廃水を固液分離するための固液分離設備を設けるとともに、固液分離設備で固形分を除去した廃水を濃縮するべく、固液分離設備の後段に濃縮手段を設けて、濃縮手段で濃縮した廃水を電解槽またはその前段に返送する請求項１記載の廃水処理システム。
【請求項４】
電解槽を生物処理設備の前段に設け、かつ電解槽の前段に、廃水を固液分離するための固液分離設備を設けるとともに、固液分離設備で固形分を除去した廃水を濃縮するべく、固液分離設備と電解槽との間に濃縮手段を設けて、濃縮手段で濃縮した廃水を電解槽に供給する請求項１記載の廃水処理システム。
【請求項５】
電解槽の前段または後段に、鉄電極を用いた電気分解によって鉄イオンを廃水中に溶出させるための鉄電解槽を設けた請求項１記載の廃水処理システム。
【請求項６】
電解槽に、当該槽内の廃水を一箇所から取り出して別の個所から再び槽内に還流するための廃水の循環路を設け、かつこの循環路、および電解槽自体のうちの少なくとも一方に、塩素濃度測定手段、残留塩素濃度測定手段、酸化還元電位測定手段、ｐＨ測定手段、およびアンモニア濃度測定手段からなる群より選ばれた少なくとも１種の手段を配設するとともに、上記手段による測定値に基づいて電解槽における廃水の電解処理を制御するための制御手段を設けた請求項１記載の廃水処理システム。
【請求項７】
放流前の廃水を高度処理するための高度処理設備を設けるとともに、電解槽に、槽内での電解によって発生したガスを高度処理設備に供給して、ガス中の塩素によって廃水を殺菌処理するためのガス供給路を接続した請求項１記載の廃水処理システム。
【請求項８】
電解槽またはその前段に、塩水を供給するための塩水供給手段を接続した請求項１記載の廃水処理システム。
【請求項９】
塩水として海水を用いる請求項８記載の廃水処理システム。
【請求項１０】
電解槽またはその前段に、消泡剤を供給するための消泡剤供給手段を接続した請求項１記載の廃水処理システム。
【発明の詳細な説明】
【技術分野】
【０００１】
この発明は、窒素分を含有する有機性の廃水、具体的には、バキュームカーなどで回収したし尿などを処理して有機物や窒素分などを除去した状態で、河川等に放流するための廃水処理システムに関するものである。
【背景技術】
【０００２】
例えばバキュームカーなどで回収したし尿などの、有機性の廃水を処理して、ＳＳ（Suspended Solid、水中の懸濁している不溶性物質）を除去するとともにＢＯＤ（Biochemical Oxygen Demand、生物学的酸素要求量）を低減した状態で河川等に放流するための廃水処理システム（し尿処理システム）としては従来、廃水中に混入した紙やビニールなどの夾雑物を、スクリーンを用いて除去するための前処理設備と、前処理した廃水を、好気性菌を用いて曝気処理するための曝気処理設備と、廃水を固液分離して固形分（汚泥）を除去するための固液分離設備と、曝気処理および固液分離後の廃水を、目標放流水質に合わせて高度処理（３次処理）したのち放流するための高度処理設備とを備えたものが一般的であった。
【０００３】
しかし昭和５０年代以降は、廃水処理システムから河川等に放流される廃水について、ＳＳの除去やＢＯＤの低減だけでなく、富栄養化防止のために窒素やリンを除去するとともに、ＣＯＤ（Chemical Oxygen Demand、化学的酸素要求量）や色度を低減することなども求められるようになり、この要求に対応するために、生物学的脱窒素法を利用した種々の脱窒素処理設備（生物処理設備）を設けた廃水処理システムが実用化され、現在に至っている。
【０００４】
生物処理設備における生物学的脱窒素法の例としては、例えば硝化菌の作用によって廃水中のアンモニウム塩を亜硝酸塩に、亜硝酸塩を硝酸塩に酸化する硝化処理と、脱窒菌の作用によって、亜硝酸塩や硝酸塩を窒素などのガス状生成物に還元して除去する脱窒素処理とを組み合わせたものなどを挙げることができる。
そして前記の要求に対応するために、これらの処理と、曝気処理、嫌気処理等とを適宜、組み合わせて生物処理設備を構成し、それをさらに前処理、沈澱処理、固液分離処理、凝集分離処理、高度処理等の各種処理を行うための設備と適宜、組み合わせて廃水処理システムを構成することが行われている（非特許文献１参照）。
【非特許文献１】「汚泥再生処理センター等施設整備の計画・設計要領」（平成１３年９月２５日第１版第１刷、社団法人  全国都市清掃会議  編集発行）の第９６頁第１．３項「施設の形式等」
【発明の開示】
【発明が解決しようとする課題】
【０００５】
廃水処理システムに搬入される有機性の廃水の性状は、例えば地域や季節その他、環境条件の違いによって異なるのが一般的である。しかし生物学的脱窒素法を利用した生物処理設備を含む廃水処理システムにおいては、搬入される廃水の性状が異なると、有機物と窒素とのバランスが崩れて、菌による硝化力や脱窒素力が低下し、それによって生物処理設備における脱窒素処理の処理能力が低下するという問題がある。
【０００６】
また、菌による硝化処理や脱窒素処理は、一定容積の硝化槽、脱窒素槽内に、廃水を菌とともに一定時間、貯留して行う必要があり、単位時間あたりの硝化処理の量や脱窒素処理の量には限界があるため、既存の廃水処理システムを現状よりも大型化することなしに、脱窒素処理の処理能力をさらに向上したり、あるいは逆に、一定以上の処理能力を維持しながら廃水処理システムを現在よりも小型化したりするのが難しいという問題もある。
【０００７】
この発明の目的は、環境条件の違いによって廃水の性状が異なっても、常に一定以上の、脱窒素処理の処理能力を維持することができる上、既存の廃水処理システムを大型化することなしに処理能力を向上したり、逆に一定以上の処理能力を維持しながら廃水処理システムを小型化したりすることが可能な、新規な廃水処理システムを提供することにある。
【課題を解決するための手段】
【０００８】
請求項１記載の発明は、窒素分と塩素イオンとを含む有機性の廃水を生物処理して有機物や窒素を除去するための生物処理設備を備えた廃水処理システムであって、上記生物処理設備の前段、後段および生物処理設備中のいずれかの位置に、
(1)  廃水を電解処理して窒素分を除去するための電解槽を設けるとともに、
この電解槽の前段または後段に、
(2)  廃水を濃縮して塩素イオン濃度を高めた状態で電解槽またはその前段に供給するための濃縮手段を設けた
ことを特徴とする廃水処理システムである。
【０００９】
請求項２記載の発明は、生物処理設備の後段に、処理後の廃水を固液分離するための固液分離設備を設け、かつ固液分離設備で固形分を除去した廃水を電解処理するべく、固液分離設備の後段に電解槽を設けるとともに、電解槽の後段に濃縮手段を設けて、濃縮手段で濃縮した廃水を電解槽またはその前段に返送する請求項１記載の廃水処理システムである。
【００１０】
請求項３記載の発明は、電解槽を生物処理設備中に設け、かつ生物処理設備の後段に、処理後の廃水を固液分離するための固液分離設備を設けるとともに、固液分離設備で固形分を除去した廃水を濃縮するべく、固液分離設備の後段に濃縮手段を設けて、濃縮手段で濃縮した廃水を電解槽またはその前段に返送する請求項１記載の廃水処理システムである。
【００１１】
請求項４記載の発明は、電解槽を生物処理設備の前段に設け、かつ電解槽の前段に、廃水を固液分離するための固液分離設備を設けるとともに、固液分離設備で固形分を除去した廃水を濃縮するべく、固液分離設備と電解槽との間に濃縮手段を設けて、濃縮手段で濃縮した廃水を電解槽に供給する請求項１記載の廃水処理システムである。
請求項５記載の発明は、電解槽の前段または後段に、鉄電極を用いた電気分解によって鉄イオンを廃水中に溶出させるための鉄電解槽を設けた請求項１記載の廃水処理システムである。
【００１２】
請求項６記載の発明は、電解槽に、当該槽内の廃水を一箇所から取り出して別の個所から再び槽内に還流するための廃水の循環路を設け、かつこの循環路、および電解槽自体のうちの少なくとも一方に、塩素濃度測定手段、残留塩素濃度測定手段、酸化還元電位測定手段、ｐＨ測定手段、およびアンモニア濃度測定手段からなる群より選ばれた少なくとも１種の手段を配設するとともに、上記手段による測定値に基づいて電解槽における廃水の電解処理を制御するための制御手段を設けた請求項１記載の廃水処理システムである。
【００１３】
請求項７記載の発明は、放流前の廃水を高度処理するための高度処理設備を設けるとともに、電解槽に、槽内での電解によって発生したガスを高度処理設備に供給して、ガス中の塩素によって廃水を殺菌処理するためのガス供給路を接続した請求項１記載の廃水処理システムである。
請求項８記載の発明は、電解槽またはその前段に、塩水を供給するための塩水供給手段を接続した請求項１記載の廃水処理システムである。
【００１４】
請求項９記載の発明は、塩水として海水を用いる請求項８記載の廃水処理システムである。
請求項１０記載の発明は、電解槽またはその前段に、消泡剤を供給するための消泡剤供給手段を接続した請求項１記載の廃水処理システムである。
【発明の効果】
【００１５】
請求項１の構成では、廃水処理システムの、生物処理設備の前段、後段および生物処理設備中のいずれか任意の位置に設けた電解槽において廃水を電解処理することによって、窒素分を除去することができる。
したがって請求項１記載の発明によれば、環境条件の違いによって有機性の廃水の性状が異なって、生物処理設備における硝化処理の能力や脱窒素処理の能力が低下した場合でも、電解槽での窒素分の除去作用によってこれを補って、廃水処理システム全体としての脱窒素処理の処理能力を常に一定以上に維持することが可能である。
【００１６】
また電解槽の容積は、硝化槽や脱窒素槽に比べて大幅に小さくすることができるため、請求項１記載の発明によれば、硝化槽や脱窒素槽を大型化する場合に比べて、より小型の電解槽を追加するだけで、既存の廃水処理システムを現状よりも大型化することなしに、脱窒素処理の処理能力をこれまでより向上することも可能である。
また、硝化槽や脱窒素槽をこれまでよりも大幅に小容積化しても、小型の電解槽を追加することによって一定以上の処理能力を維持することができるため、廃水処理システムを現在より小型化することも可能である。
【００１７】
しかも請求項１の構成では、上記電解槽の前段または後段に設けた濃縮手段において廃水を濃縮して、し尿等の有機性の廃水中に元々含まれている塩素イオンの濃度を、電解槽において廃水を電解処理して、前記の反応機構によって窒素分を除去するのに必要かつ十分な濃度に高めた状態で、電解槽またはその前段に供給することができる。
したがって請求項１記載の発明によれば、電解槽に必要な塩素イオンを別途補給することなしに、電解槽での電解処理によって窒素分を除去することも可能である。
【００１８】
また請求項２、３記載の発明によれば、電解槽を生物処理設備の後段側、または生物処理設備中に設けるとともに、当該電解槽の後段側に濃縮手段を設けて、この濃縮手段において廃水に含まれる塩素イオンを濃縮して電解槽またはその前段に返送しているため、請求項１と同様の効果を得ることができる上、濃縮手段から出る廃水は塩素イオン濃度が低減されているため、当該濃縮手段の後段側に、塩素イオン除去のための設備を別途、設けることなしに廃水をそのままで、あるいは高度処理したのち放流できるという利点もある。
【００１９】
請求項４記載の発明によれば、生物処理設備の前段側に、固液分離設備、濃縮手段および電解槽をこの順に設けて、有機性の廃水から固形分を除去し、次いで塩素イオンを濃縮したのち電解槽に供給しているため、請求項１と同様の効果を得ることができる上、濃縮手段から出る廃水はやはり塩素イオン濃度が低減されているため、当該濃縮手段の後段側に、塩素イオン除去のための設備を別途、設けることなしに廃水をそのままで、あるいは高度処理したのち放流できるという利点もある。
【００２０】
請求項５記載の発明によれば、電解槽の前段または後段に設けた鉄電解槽において、鉄電極から廃水中に溶出させた鉄イオンを凝集剤として作用させることができる。そして、かかる鉄イオンの凝集剤としての作用によって、廃水中に溶存しているリン分（ＰＯ４−Ｐ）を凝集、沈殿させて廃水中から除去することができる。また鉄イオンの凝集剤としての作用によって、鉄電解槽の後段側に固液分離設備が設けられている場合は、その固液分離性能を向上できるという利点もある。
【００２１】
請求項６記載の発明によれば、電解槽に接続した廃水の循環路を用いて、槽内の廃水をかく拌しながら電解処理することができるため、当該電解処理による窒素分の除去作用の効率を向上することができる。また、電解処理されて電解槽から出る廃水の水質を常に一定に保つべく、上記循環路や電解槽に設けた各種測定手段による測定値をもとに、制御手段によって、電解処理を自動的に制御することなどが可能である。
【００２２】
請求項７記載の発明によれば、高度処理設備により、例えばトリハロメタンのような有害物質を除去できる上、高度処理設備の任意の位置に、電解槽で発生したガスを、ガス供給路を通して供給して、ガス中の塩素によって廃水を殺菌処理できるため、処理能力の高度化、処理システム全体としての安定性、および信頼性を向上することができる。また電解槽で発生する不要なガスの処理を省略できる上、当該ガスを有効利用できるという利点もある。
【００２３】
請求項８、９記載の発明によれば、電解槽またはその前段に接続した塩水供給手段から、電解槽に任意に塩水を供給することができるため、例えば有機性の廃水中の塩素イオン濃度が、濃縮手段による濃縮だけでは不十分である場合でも、塩素イオン濃度を高いレベルに維持して、電解槽における窒素分の除去作用の効率が低下するのを防止することができる。また請求項９記載の発明によれば、上記塩水として無尽蔵にある海水を利用できるという利点もある。
【００２４】
請求項１０記載の発明によれば、電解槽またはその前段に接続した消泡剤供給手段から、電解槽に任意に消泡剤を供給することができるため、電解反応によるガスの発生に伴って電解槽内に気泡が充満して、電解反応が阻害されるのを確実に防止することができる。
【発明を実施するための最良の形態】
【００２５】
図１は、この発明の廃水処理システムの、実施の形態の一例を示すブロック図である。
この例の廃水処理システムは、例えばバキュームカーなどで家庭や施設から回収したし尿などの有機性の廃水ＥＣを受け入れて前処理するための前処理設備１と、前処理した廃水ＥＣを生物処理するための生物処理設備２と、生物処理後の廃水ＥＣを固液分離して固形分（汚泥）ＳＬを除去するための固液分離設備３と、固形分ＳＬを除去した後の廃水を電解処理するための電解槽４と、電解処理後の廃水を高度処理するための高度処理設備５と、高度処理後の廃水を濃縮して塩素イオン濃度を高めた状態で、電解槽４の前段に返送するための濃縮手段６とを備えている。また、濃縮手段６から出た塩素イオン濃度が低減された水は河川等に放流される。
【００２６】
上記のうち前処理設備１は、従来同様に、例えば廃水ＥＣを受け入れるための受入槽、受け入れた廃水ＥＣ中の固形分を破砕しながら後段へ送るための破砕ポンプ、破砕した廃水ＥＣ中から、紙やビニールなどの夾雑物を除去するための細目スクリーンやし渣・繊維除去装置、夾雑物を除去後の廃水ＥＣを貯留するための貯留槽などで構成することができる。
【００２７】
また生物処理設備２、および固液分離設備３としても、従来同様の構成を有するものを採用することができる。
例えば図２は、前処理設備１から電解槽４へ向かう廃水ＥＣの流れ（図中に実線の矢印で示す）に沿って順に反応槽（硝化脱窒素槽）２１と、かく拌槽（脱窒素槽）２２と、再曝気槽２３とを備え、前処理設備１で前処理した廃水ＥＣを希釈せずに処理する高負荷脱窒素処理方式の生物処理設備２と、それと組み合わせる固液分離設備３としての、膜分離装置３１とを示している。
【００２８】
このうち反応槽２１の底部には、槽外部に設けたポンプＧＰ１から、図中に短い破線の矢印で示すように、槽内の廃水ＥＣに、硝化反応に必要な酸素を含む空気を吹き込むための配管を接続してある。また反応槽２１の底部には散気装置ＲＡを設置してあり、上記ポンプＧＰ１から空気を送り込むと散気装置ＲＡが作動して、槽内の廃水ＥＣをかく拌するようにもしてある。反応槽２１内には硝化菌と脱窒菌が収容される。
【００２９】
また再曝気槽２３の底部にも、上記ポンプＧＰ１から、同様に短い破線の矢印で示すように、槽内の廃水ＥＣに、再曝気のための空気を吹き込むための配管を接続してある。再曝気槽２３内には好気性菌が収容される。
さらにかく拌槽２２には、槽外部に設けたポンプＧＰ２によって、図中に長い破線の矢印で示すように、天部から槽内のガスを取り出して、底部から再び槽内の廃水ＥＣ中に吹き込むように循環させることで、当該槽内の廃水ＥＣをかく拌するための配管を接続してある。かく拌槽には脱窒菌が収容される。
【００３０】
上記３つの槽２１〜２３を備えた図の例の生物処理設備２においては、前処理設備１で前処理した廃水ＥＣを間欠的に、反応槽２１に投入することによって、当該反応槽２１内で、硝化菌による硝化反応と、脱窒菌による脱窒素反応とを交互に行って窒素を除去している。その概要は下記のとおりである。
（脱窒素工程）
ポンプＧＰ１を停止した状態で廃水ＥＣを投入すると、反応槽２１内が嫌気的雰囲気となって脱窒菌が活性化し、当該脱窒菌の作用によって、亜硝酸塩や硝酸塩が窒素などのガス状生成物に還元されて廃水ＥＣ中から除去される。それとともに廃水ＥＣ中のＢＯＤ源（主に固形分中の炭素）が、脱窒菌の栄養分として消費されるため、廃水ＥＣのＢＯＤを低減することもできる。
【００３１】
（硝化工程）
亜硝酸塩や硝酸塩が除去された時点で廃水ＥＣの投入を停止すると、ＢＯＤ源の供給も停止することになるため脱窒菌の活性が低下する。そこでポンプＧＰ１を作動させて、廃水ＥＣ中に空気を吹き込むとともに、散気装置ＲＡを作動させて廃水ＥＣをかく拌して曝気させると、反応槽２１内が好気的雰囲気となって硝化菌が活性化する。そしてこの硝化菌の作用によって、廃水ＥＣ中の窒素分（有機物中の窒素やアンモニウム塩中の窒素）が、ポンプＧＰ１によって吹き込まれた空気中の酸素と反応して主に亜硝酸塩に、さらにその一部が硝酸塩に酸化される。
【００３２】
上記の２工程を繰り返し行うことによって、単一の反応槽２１内で、硝化処理および脱窒素処理を効果的に行うことができる。またこの際、図示していないが、反応槽２１内のＤＯ（Dissolved Oxygen、溶存酸素）やｐＨ、ＯＲＰ（Oxidation Reduction Potential、酸化還元電位）などに基づく制御を行うことで、両反応を安定的に進行させることもできる。
【００３３】
次に、硝化および脱窒素処理が終了した廃水ＥＣをかく拌槽２２に送ると、当該かく拌槽２２内で、脱窒菌によって仕上げの脱窒素処理が行われる。すなわち廃水ＥＣ中に残存する亜硝酸塩や硝酸塩が、脱窒菌の作用によって窒素などのガス状生成物に還元されて廃水ＥＣ中から除去されるとともに、残存するＢＯＤ源が、脱窒菌の栄養分として消費される。
【００３４】
この後、脱窒素処理が終了した廃水ＥＣを再曝気槽２３に送って、好気性菌の作用によって曝気処理して、最終的に残存したＢＯＤ源を除去することで、一連の生物学的脱窒素処理が終了する。
次に、上記のようにして窒素分が除去された廃水ＥＣを、固液分離設備３としての膜分離装置３１に送る。膜分離装置３１は限外ろ過膜を用いたもので、廃水ＥＣ中に含まれる、数十オングストロームより粒径の大きい固形分の粒子を全て捕捉して分離除去する働きをする。これにより、膜分離装置３１を通過して固形分が除去された廃水ＥＣを、次工程である電解槽４に送ることができる。また固液分離された固形分は、図中に一点鎖線の矢印で示すようにその大部分を、汚泥ＳＬとして回収するとともに、残部を、生物処理設備２の反応槽２１に戻して汚泥濃度を維持するとともに、脱窒菌の栄養分として再利用する。
【００３５】
図３は、生物処理設備２と固液分離設備３の他の例を示している。すなわち、前処理設備１から電解槽４へ向かう廃水ＥＣの流れ（図中に実線の矢印で示す）に沿って順に脱窒素槽２４と、硝化槽２５と、二次脱窒素槽２６と、再曝気槽２７とを備え、前処理設備１で前処理した廃水ＥＣを希釈水Ｗで希釈しながら処理する標準脱窒素処理方式の生物処理設備２と、それと組み合わせる固液分離設備３としての沈殿槽３２とを示している。
【００３６】
このうち硝化槽２５の底部には、槽外部に設けたポンプＧＰ３から、図中に短い破線の矢印で示すように、槽内の廃水ＥＣに、硝化反応に必要な酸素を含む空気を吹き込むための配管を接続してある。また硝化槽２５には、図中に二重線の矢印で示すように、槽内の廃水ＥＣに希釈水Ｗを供給して希釈するための配管も接続してある。硝化槽２５内には硝化菌が収容される。
【００３７】
また再曝気槽２７の底部にも、上記ポンプＧＰ１から、同様に短い破線の矢印で示すように、槽内の廃水ＥＣに、再曝気のための空気を吹き込むための配管を接続してある。再曝気槽２３内には好気性菌が収容される。
さらに脱窒素槽２４と二次脱窒素槽２６にはそれぞれ、槽外部に設けたポンプＧＰ４によって、図中に長い破線の矢印で示すように、天部から槽内のガスを取り出して、底部から再び槽内の廃水ＥＣ中に吹き込むように循環させることで、両槽２４、２６内の廃水ＥＣをかく拌するための配管を接続してある。両槽２４、２６には脱窒菌が収容される。また二次脱窒素槽２６には、図中に二点鎖線の矢印で示すように、槽内の廃水ＥＣにメタノールＭｅなどの有機物を供給するための配管も接続してある。
【００３８】
上記４つの槽２４〜２７を備えた図の例の生物処理設備２を用いた、生物学的脱窒素法の概要は下記のとおりである。
前処理設備１で前処理した廃水ＥＣを所定の流量で、脱窒素槽２４を通して硝化槽２５に供給するとともに、必要に応じて硝化槽２５に希釈水Ｗを供給しながら、当該硝化槽２５で出た余剰分の廃水ＥＣの大部分を脱窒素槽２４に戻す操作を連続して行うと、まず硝化槽２５内で、廃水ＥＣ中の窒素分（有機物中の窒素やアンモニウム塩中の窒素）が、ポンプＧＰ３によって吹き込まれた空気中の酸素と、硝化菌の作用によって反応して亜硝酸塩に、さらには硝酸塩に酸化される。
【００３９】
そして脱窒素槽２４内で、脱窒菌の作用によって、亜硝酸塩や硝酸塩が窒素などのガス状生成物に還元されて、廃水ＥＣ中から除去される。つまり廃水ＥＣ中から、上記一連の反応によって窒素を除去することができる。それとともに脱窒素槽２４内では、廃水ＥＣ中のＢＯＤ源（主に固形分中の炭素）が、脱窒菌の栄養分として消費されるため、廃水ＥＣのＢＯＤを低減することもできる。
【００４０】
また硝化槽２５で出た余剰分の廃水ＥＣのうち、脱窒素槽２４に戻されなかった一部を、次工程である二次脱窒素槽２６に送るとともに、必要に応じて二次脱窒素槽２６に、脱窒菌の栄養分として少量のメタノールＭｅなどを供給すると、当該槽内で、脱窒菌によって仕上げの脱窒素処理が行われる。すなわち廃水ＥＣ中に残存する亜硝酸塩や硝酸塩が、脱窒菌の作用によって窒素などのガス状生成物に還元されて廃水ＥＣ中から除去されるとともに、残存するＢＯＤ源が、脱窒菌の栄養分として消費される。
【００４１】
この後、脱窒素処理が終了した廃水ＥＣを曝気槽２７に送って、好気性菌の作用によって曝気処理して、最終的に残存したＢＯＤ源を除去することで、一連の生物学的脱窒素処理が終了する。
次に、上記のようにして窒素分が除去された廃水ＥＣを、固液分離設備３としての沈殿槽３２に送る。そして沈殿槽３２内で、廃水ＥＣ中に浮遊していた固形分を沈降、沈殿させることによって、固形分のない上澄みの廃水ＥＣを電解槽４に送ることができる。
【００４２】
また沈殿させた固形分は、図中に一点鎖線の矢印で示すようにその大部分を、汚泥ＳＬとして回収するとともに、残部を、生物処理設備２の脱窒素槽２４に戻して汚泥濃度を維持するとともに、脱窒菌の栄養分として再利用する。
電解槽４としては、廃水ＥＣを電解処理して窒素分を除去しうる、種々の構造を有する電解槽４を採用することができ、とくに塩素イオンから次亜塩素酸系の強酸化物質を生成させて、この強酸化物質の酸化作用によって廃水中の窒素分を除去する電解槽４が好適に採用される。
【００４３】
図４は、上記機能を有する電解槽４の一例を示している。図の電解槽４は、固液分離設備３、および後述する濃縮手段６から供給された廃水ＥＣを収容するための槽本体４０を備えるとともに、当該槽本体４０内に一対の電極４１、４２を配設し、かつ槽本体４０の、図において左側の上部に、固液分離設備３と濃縮手段６からの配管４３、左側の下部に、高度処理設備５への配管４４を接続したものである。
【００４４】
また槽本体４０の、図において右側には、循環ポンプＷＰ１を作動させることで、廃水ＥＣを槽本体４０の下部から取り出して上部へ還流してかく拌するための、廃水ＥＣの循環路４５を接続してある。また上記配管４３、４４、循環路４５の途中にはそれぞれ電磁弁Ｖ１〜Ｖ３を設けてある。さらに槽本体４０の天面には、電解反応によって発生するガスを、後述する高度処理設備５に供給するためのガス供給路４６を接続してある。
【００４５】
上記のうち電極４１、４２は直流電源Ｄに接続してあり、一方をアノード、他方をカソードとして機能させて、槽本体４０内に収容された廃水ＥＣを電気分解するために用いる。このうちカソード側の電極としては、電気化学反応によって酸化態窒素を還元する機能を有する、例えば真鍮、銅、亜鉛などの、１１族または１２族元素を含む導電体からなる電極や、導電性の基体の表面を上記１１族または１２族元素を含む導電体で被覆した構造を有する電極などを挙げることができる。またアノード側の電極としては、電気化学反応によって、塩素イオンから次亜塩素酸系の強酸化物質を生成させる機能を有する、例えばＴｉ基体の表面をＰｔ、Ｐｔ−Ｉｒなどの貴金属で被覆した構造を有する電極（ＤＳＡ電極）や、カーボン電極などを挙げることができる。
【００４６】
そして、固液分離設備３と濃縮手段６から供給された廃水ＥＣに、直流電源Ｄから両電極４１、４２を介して直流電流を流すと、下記(1)〜(4)の電気化学反応を生じて、酸化態窒素を窒素ガスに変換して除去することができる。
（カソード側）
ＮＯ３−＋６Ｈ２Ｏ＋８ｅ−→ＮＨ３＋９ＯＨ−      (1)
（アノード側）
２Ｃｌ−→Ｃｌ２＋２ｅ−      (2)
Ｈ２Ｏ＋Ｃｌ２⇔ＨＣｌＯ＋Ｈ＋＋Ｃｌ−      (3)
（アノード側＋カソード側）
２ＮＨ３＋３ＨＣｌＯ→Ｎ２↑＋３ＨＣｌ＋３Ｈ２Ｏ      (4)
なお電極は、図の例のようにカソード側、アノード側ともに1枚ずつでなく、複数枚を、交互に配列しても良い。また槽本体４０内を、陽イオン交換膜を用いてカソード側とアノード側に隔てても良い。
【００４７】
廃水ＥＣの循環路４５の途中には、電解処理によって変化する廃水ＥＣの性状を調べて、電解処理の終点を検知するための測定手段Ｓ１と、処理前の廃水の塩素濃度を測定するための塩素濃度測定手段Ｓ２とを設けてある。また槽本体４０内には、廃水ＥＣの水位を調べるための水位センサＳ３を設けてある。
このうち測定手段Ｓ１としては、残留塩素濃度測定手段、酸化還元電位測定手段、ｐＨ測定手段、またはアンモニア濃度測定手段を挙げることができる。測定手段Ｓ１は１種単独で使用しても良いし、２種以上を併用しても構わない。
【００４８】
上記各部は、それぞれ図中に一点鎖線で示すように制御手段Ｃと接続されている。そして制御手段Ｃは、測定手段Ｓ１、塩素濃度測定手段Ｓ２、および水位センサＳ３からの出力信号に基づいて電磁弁Ｖ１〜Ｖ３を開閉し、かつ循環ポンプＷＰ１の駆動を制御するとともに、直流電源Ｄの駆動を制御することによって、電解槽４を自動制御しながら廃水ＥＣを電解処理するために機能する。また図示していないが制御手段Ｃは、固液分離設備３から電解槽４に流入する廃水ＥＣの流入量や、濃縮手段６から電解槽４に流入する濃縮された廃水ＥＣの流入量を調整する機能も有している。
【００４９】
制御手段Ｃは、電解処理に際して、まず電磁弁Ｖ２を閉じた状態で電磁弁Ｖ１を開くことで、配管４３を通して、廃水ＥＣを電解槽４の槽本体４０内に流入させる。またこの際、制御手段Ｃは、廃水ＥＣが循環路４５内にも流入するように、電磁弁Ｖ３をも開いておく。さらに制御手段Ｃは、塩素濃度測定手段Ｓ２によって塩素濃度を測定して、電解槽４内の廃水ＥＣの塩素濃度が所定の値となるように、固液分離設備３から電解槽４に流入する廃水ＥＣの流入量と、濃縮手段６から電解槽４に流入する濃縮された廃水ＥＣの流入量とを調整する。
【００５０】
次に水位センサＳ３からの出力信号によって、槽本体４０内の廃水ＥＣがあらかじめ設定した水位に達したことを検知すると、制御手段Ｃは、電磁弁Ｖ１を閉じて廃水ＥＣの流入を停止するとともに、循環ポンプＷＰ１を作動させて廃水ＥＣのかく拌を開始する。
そして制御手段Ｃは、直流電源Ｄを作動させて、電極４１、４２を介して廃水ＥＣに所定の電流を流して、電解処理を開始する。それとともに制御手段Ｃは、測定手段Ｓ１による、廃水ＥＣの性状の測定を開始し、電解処理が進んで廃水ＥＣが所定の性状に達した時点、具体的には窒素分がなくなった時点で直流電源Ｄを停止させて電解処理を終了する。これにより、前述したように電解処理されて電解槽４から出る廃水ＥＣの水質を常に一定に保つことが可能となる。
【００５１】
廃水ＥＣの性状と、測定手段Ｓ１による測定値との関係は下記のとおりである。
例えば廃水ＥＣ中の残留塩素濃度は、当該廃水ＥＣ中に窒素分が存在している間、前記の反応機構によって次亜塩素酸イオンなどが消費され続けるため、電解処理を続けても低い値に留まっているが、窒素分がなくなると急激に上昇する。このため測定手段Ｓ１として残留塩素濃度測定手段を用いて、残留塩素濃度が急激に上昇を開始した時点を検知することで、廃水ＥＣが所定の性状に達したの知ることができる。
【００５２】
また廃水ＥＣの酸化還元電位やｐＨも上記と同様の挙動を示すため、測定手段Ｓ１として酸化還元電位測定手段やｐＨ測定手段を用いて、酸化還元電位やｐＨが急激に上昇を開始した時点を検知することで、廃水ＥＣが所定の性状に達したの知ることができる。
さらにアンモニア濃度測定手段によれば、廃水ＥＣ中の窒素分の濃度を直接的に測定することができるため、窒素分がなくなった時点を検知することで、廃水ＥＣが所定の性状に達したの知ることができる。
【００５３】
電解処理が終了すると制御手段Ｃは、循環ポンプＷＰ１を停止させるとともに電磁弁Ｖ３を閉じた状態で、電磁弁Ｖ２を開いて、電解処理済の廃水ＥＣを、配管４４を通して槽本体４０から流出させて、次工程である高度処理設備５に送る。
以上の操作を繰り返すことにより、廃水ＥＣを連続的に電解処理することができる。なお、廃水ＥＣを電解槽４の槽本体４０内に流入させるとともに、電解処理後の廃水ＥＣを槽本体４０から流出させるためには、その自重を利用して自然に流下させるのが好ましいが、設置スペースなどの関係で自然流下が難しい場合は、例えば配管４３に送出ポンプを設けて、廃水ＥＣを強制的に流通させるようにしても良い。
【００５４】
高度処理設備５としては、従来同様の構成を有するものを採用することができる。すなわち廃水ＥＣに硫酸アルミニウムなどの凝集剤を添加して微細なＳＳを沈殿しやすいフロックにし、かつ色度やＣＯＤのもとになる有機物の一部とリン酸とを不溶化して分離させるための凝集分離装置、廃水ＥＣをオゾンと接触させて殺菌処理するとともに、ＣＯＤ成分、とくに色度成分を酸化分解するためのオゾン酸化装置、廃水ＥＣに残留する微細なＳＳを除去するための砂ろ過装置、ＣＯＤ成分や色度成分を高度に除去するための活性炭吸着装置などを適宜、組み合わせて高度処理設備５を構成することができる。
【００５５】
また、前記のように電解槽４での電解反応によって発生するガスを、図１中に破線の矢印で示すガス供給路４６を通して高度処理設備５に送って、その任意の位置、例えば放流直前の放流ピット内に吹き込んで廃水ＥＣと接触させることによって、当該廃水ＥＣを、ガス中に含まれる塩素によって殺菌処理するようにしても良い。なお前記反応式(1)〜(4)では、廃水ＥＣ中の塩素イオンから生成した塩素（Ｃｌ２）の全量が、次亜塩素酸の生成に消費されるように読めるが、実際にはごく微量の塩素が、窒素（Ｎ２）とともに気相に移行してガス中に含まれるため、このように殺菌処理に利用することができる。
【００５６】
濃縮手段６としては、高度処理設備５で高度処理された廃水ＥＣ中の塩素イオンを濃縮することができる、種々の手段を採用することができる。かかる濃縮手段６の例としては、例えば逆浸透膜（ＲＯ膜）を用いて廃水ＥＣ中の塩素イオン濃度を上昇させるＲＯ膜処理、廃水ＥＣを電気透析して塩素イオン濃度を上昇させる電気透析処理、廃水ＥＣ中から水分を蒸発させて塩素イオン濃度を上昇させる蒸発処理などを採用することができる。
【００５７】
塩素イオン濃度を上昇させた廃水ＥＣは、前記のように電解槽４の前段に戻す。また、濃縮手段６から出た塩素イオン濃度が低減された水は、河川等に直接に放流する。
図５は、この発明の廃水処理システムの、実施の形態の他の例を示すブロック図である。
この例の廃水処理システムは、回収した有機性の廃水ＥＣを前処理するための前処理設備１と、前処理した廃水ＥＣを生物処理するための生物処理設備２と、この生物処理設備２の、生物処理の前段２ａと後段２ｂとの間に配設した電解槽４と、生物処理後の廃水ＥＣを固液分離して固形分（汚泥）ＳＬを除去するための固液分離設備３と、固形分ＳＬを除去した廃水ＥＣを高度処理するための高度処理設備５と、高度処理後の廃水ＥＣを濃縮して塩素イオン濃度を高めた状態で、電解槽４の前段に返送するための濃縮手段６とを備えている。また濃縮手段６から出た塩素イオン濃度が低減された水は河川等に放流される。
【００５８】
上記のうち前処理設備１、電解槽４、固液分離設備３、高度処理設備５、および濃縮手段６としては、先の図1の例で使用したのと同じ構成のものを採用することができる。電解槽４で発生したガスは、これも先の例と同様に、図中に破線の矢印で示すガス供給路４６を通して高度処理設備５に送って、廃水ＥＣの殺菌処理に利用しても良い。
生物処理設備２としても、その前段２ａと後段２ｂとの間に電解槽４を挿入すること以外は、先の例と同様の構成を有するものを採用することができる。例えば図６(a)は、前記図２に示した反応槽２１と、かく拌槽２２と、再曝気槽２３の３つの槽を備えた生物処理設備２のうち、反応槽２１を前段２ａ、かく拌槽２２と再曝気槽２３を後段２ｂとして、その間に電解槽４を挿入した場合を示している。この場合、濃縮手段６において塩素イオン濃度が濃縮された廃水（濃縮水）ＥＣは、図に示すように反応槽２１と電解槽４との間の位置から供給するようにすれば良い。
【００５９】
また図６(b)は、前記図３に示した脱窒素槽２４と、硝化槽２５と、二次脱窒素槽２６と、そして再曝気槽２７の４つの槽を備えた生物処理設備のうち、脱窒素槽２４を前段２ａ、硝化槽２５から再曝気槽２７までを後段２ｂとして、その間に電解槽４を挿入した場合を示している。この場合も、濃縮手段６において塩素イオン濃度が濃縮された廃水（濃縮水）ＥＣは、図に示すように反応槽２１と電解槽４との間の位置から供給するようにすれば良い。
【００６０】
図７は、この発明の廃水処理システムの、実施の形態のさらに他の例を示すブロック図である。
この例の廃水処理システムは、回収した有機性の廃水ＥＣをまず固液分離するための固液分離設備７と、固液分離により固形分（し渣）ＳＬを除去した廃水ＥＣを濃縮して塩素イオン濃度を高めるための濃縮手段６と、濃縮した廃水ＥＣを電解処理するための電解槽４と、電解処理した廃水ＥＣを生物処理するための生物処理設備２と、生物処理後の廃水ＥＣを高度処理するための高度処理設備５とを備えている。なお濃縮手段６から出た塩素イオン濃度が低減された水は河川等に放流しても良いし、図中に二点鎖線の矢印で示すように生物処理設備２に供給しても良い。生物処理設備２と高度処理設備５とを経た廃水ＥＣは、河川等に放流される。
【００６１】
上記のうち生物処理設備２、電解槽４、高度処理設備５、および濃縮手段６としては、先の図１の例で使用したのと同じ構成のものを採用することができる。電解槽４で発生したガスは、これも先の例と同様に、図中に破線の矢印で示すガス供給路４６を通して高度処理設備５に送って、廃水ＥＣの殺菌処理に利用しても良い。
固液分離設備７としても、先の図１、図５の例で使用したのと同じ構成のものを採用しても良いが、この例では廃水ＥＣ中の固形分をできるだけ除去することを考慮して、沈殿槽等の固液分離装置７１と、膜分離装置７２とを組み合わせて固液分離設備７を構成している。
【００６２】
上記各例の廃水処理システムにおいては、廃水ＥＣ中からリン分を除去するとともに、固液分離設備での固液分離性能を向上するため、前記のように電解槽４の前段、または図８(a)に示すように後段に、鉄電解槽８１を挿入しても良い。
鉄電解槽８１としては、その少なくともアノード側を鉄電極とした一対の電極を有するものを用いることができる。ただし鉄電解槽８１を用いて鉄電解を続けると、鉄電極の表面に酸化被膜が形成されて鉄イオンが徐々に溶出しにくくなるので、それを防止するためには、両極をともに鉄電極として、一定時間ごとに極性を入れ替えて鉄電解を行うようにするのが好ましい。この場合、陽極側の鉄電極における鉄イオンの溶出と同時に、陰極側の鉄電極の表面に付着した酸化被膜を除去できるため、鉄イオンを、廃水ＥＣ中により効果的に、安定して供給できるという利点がある。
【００６３】
また上記各例の廃水処理システムにおいては、塩素イオン濃度が低下して濃縮手段６による濃縮だけでは不十分である場合を考慮して、図８(b)に示すように、電解槽４に塩水を供給するための塩水供給手段８２を接続しても良い。また同図に示すように、電解槽４での電解処理時に、槽内の廃水ＥＣが泡だって電解反応を阻害するのを防止するための消泡剤を供給するべく、消泡剤供給手段８３を接続しても良い。
【００６４】
このうち塩水供給手段８２としては、水と、その飽和濃度以上の食塩とを収容しておき、常に飽和濃度の塩水を供給できるようにしたものなどを挙げることができる。また廃水処理システムが海浜部にある場合は、塩水として無尽蔵の海水を利用するのが好ましい。そのような塩水供給手段８２としては、海水を汲み上げて固形分をろ過したのち電解槽４に供給する揚水装置などを挙げることができる。
【００６５】
消泡剤供給手段８３としては、一定量の消泡剤を電解槽４に供給しうる装置を用いれば良い。また消泡剤としては、例えばアルコール系、シリコーン系、ポリグリコール系、ポリアクリレート系などの各種の消泡剤を挙げることができる。
この発明は、以上で説明した実施形態に限定されるものではなく、各請求項記載の範囲内において種々の変更が可能である。
【図面の簡単な説明】
【００６６】
【図１】この発明の廃水処理システムの、実施の形態の一例を示すブロック図である。
【図２】上記例の廃水処理システムに組み込まれる、生物処理設備と固液分離設備の一例を示す概略断面図である。
【図３】生物処理設備と固液分離設備の、他の例を示す概略断面図である。
【図４】上記例の廃水処理システムに組み込まれる、電解槽の一例を示す概略図である。
【図５】この発明の廃水処理システムの、実施の形態の他の例を示すブロック図である。
【図６】同図(a)(b)はともに、上記例の廃水処理システムにおいて、途中に電解槽を組み込んだ生物処理設備の例を示すブロック図である。
【図７】この発明の廃水処理システムの、実施の形態のさらに他の例を示すブロック図である。
【図８】同図(a)は、上記各例の廃水処理システムの、電解槽の後段に鉄電解槽を組み込んだ変形例を示すブロック図、同図(b)は、上記各例の廃水処理システムの電解槽に、塩水供給手段と消泡剤供給手段を接続した変形例を示すブロック図である。
【符号の説明】
【００６７】
１  前処理設備
２  生物処理設備
３、７  固液分離設備
４  電解槽
５  高度処理設備
６  濃縮手段
ＥＣ  廃水
ＳＬ  汚泥、し渣
【図１】
2005144366.tif 000003
【図２】
2005144366.tif 000004
【図３】
2005144366.tif 000005
【図４】
2005144366.tif 000006
【図５】
2005144366.tif 000007
【図６】
2005144366.tif 000008
【図７】
2005144366.tif 000009
【図８】
2005144366.tif 000010